(57)【特許請求の範囲】
【請求項１】
接地線（１１ａ，１２ａ）を含む複数の電源側電線（１１）および負荷側電線（１２）と、 該各電線を個別に着脱可能に接続する複数の端子部（１３）と、該端子部の全体を覆う第一端子カバー（１４）と、を有する電力量計（１）において、
前記端子部と前記第一端子カバーとの間に、前記接地線用の端子部（１３ａ）を覆う第二端子カバー（１６）を備え、
該第二端子カバーが、前記接地線用の端子部（１３ａ）に磁気的に吸着するマグネット（１６１）と、該マグネット上に設けられた絶縁部材（１６２）と、を備えている、ことを特徴とする電力量計。
【請求項２】
前記絶縁部材（１６２）が第二端子カバー（１６）取り外し用の突起部（１６２ａ）を備え、前記第二端子カバーが前記接地線用の端子部（１３ａ）を個別に覆う、ことを特徴とする請求項１に記載の電力量計 。
【請求項３】
一つの第二端子カバー（１６）が前記接地線用の端子部（１３ａ）のすべてを覆い、該第二端子カバーが、該接地線用の端子部以外の端子部（１３）を構成する端子締付ネジ（１３０）のネジ止めによって取り付けられている、ことを特徴とする請求項１に記載の電力量計 。
【請求項４】
接地線（１１ａ，１２ａ）を含む複数の電源側電線（１１）および負荷側電線（１２）と、 該各電線を個別に着脱可能に接続する複数の端子部（１３）と、該端子部の全体を覆う第一端子カバー（１４）と、を有する電力量計（１）において、
前記端子部と前記第一端子カバーとの間に、前記接地線用の端子部（１３ａ）を覆う第二端子カバー（１６）を備え、
該接地線用の端子部（１３ａ）が第一接地端子（１３１）および第二接地端子（１３２）を有し、該第二端子カバー（１６）が端子締付ネジ（１３０）に取り付けられ、該端子締付ネジを前記第一接地端子にネジ止めしたときに、前記第二端子カバーが前記第二接地端子を覆うように構成した、ことを特徴とする電力量計 。
【請求項５】
接地線（１１ａ，１２ａ）を含む複数の電源側電線（１１）および負荷側電線（１２）と、 該各電線を個別に着脱可能に接続する複数の端子部（１３）と、該端子部の全体を覆う第一端子カバー（１４）と、を有する電力量計（１）において、
前記端子部と前記第一端子カバーとの間に、前記接地線用の端子部（１３ａ）を覆う第二端子カバー（１６）を備え、
電力量計の底部に前記第二端子カバー（１６）用の差込穴（５１）を設け、前記第二端子カバーは突起部（１６４）を有する薄板状の形状を有し、前記突起部は前記差込穴に挿入可能であり、前記突起部を前記差込穴に挿入したときに、前記突起部が前記接地線用の端子部（１３ａ）を覆うように構成した、ことを特徴とする電力量計 。
【請求項６】
接地線（１１ａ，１２ａ）を含む複数の電源側電線（１１）および負荷側電線（１２）と、 該各電線を個別に着脱可能に接続する複数の端子部（１３）と、該端子部の全体を覆う第一端子カバー（１４）と、を有する電力量計（１）において、
前記端子部と前記第一端子カバーとの間に、前記接地線用の端子部（１３ａ）を覆う第二端子カバー（１６）を備え、
該第二端子カバー（１６）は、スライド前には接地線用の端子部（１３ａ）を覆い接地線用の端子部以外の端子部（１３）を開放する一方、スライド後には接地線用の端子部を開放し接地線用の端子部以外の端子部を覆う格子状に形成された水平方向にスライド移動可能なスライド式シャッター（２２）である、ことを特徴とする電力量計。
【請求項７】
前記スライド式シャッター（２２）は、電力量計の両側の金属面に磁着する対をなす台座（２３）と、対をなす該台座によってその両端を支えられたガイドレール（２４）と、該ガイドレールに沿ってスライド移動可能な格子状のシャッター部（２５）と、から構成されることを特徴とする請求項６に記載の電力量計。
【請求項８】
前記電力量計（１）の底部には、下方から接地線（１１ａ，１２ａ）を接地線用の端子部（１３ａ）に導き入れるための第一開孔（１９ａ）および下方から電源側電線（１１）又は負荷側電線（１２）を端子部（１３）に導き入れるための第二開孔（１９）が形成されており、
前記シャッター部（２５）には、スライド前には前記第一開孔を開放するとともに前記第二開孔の全部又は一部を覆って第二開孔内への電源側電線又は負荷側電線の挿入を阻害する一方、スライド後には前記第二開孔を開放して第二開孔への電源側電線又は負荷側電線の挿入を許容する挿入阻止部材（２６）が取り付けられている、ことを特徴とする請求項７に記載の電力量計。
【請求項９】
前記挿入阻止部材（２６）は、スライド前には前記第二開孔（１９）の一部に被さるように伸長する棒状体であって、
前記シャッター部（２５）をスライドさせて電源側電線（１１）又は負荷側電線（１２）を端子部（１３）に接続した後には、電源側電線又は負荷側電線と当接することでシャッター部の逆方向へのスライドを阻止する、ことを特徴とする請求項８に記載の電力量計。
【請求項１０】
前記挿入阻止部材（２６）は、スライド前には前記第二開孔（１９）に被さるように伸長し、かつ、スライド後に接地線（１１ａ，１２ａ）を側方から嵌入するための切込部（３３）が形成された短冊状の平板であって、
前記シャッター部（２５）をスライドさせて電源側電線（１１）又は負荷側電線（１２）を端子部（１３）に接続した後には、電源側電線又は負荷側電線と当接することでシャッター部の逆方向へのスライドを阻止する、ことを特徴とする請求項８に記載の電力量計。
【請求項１１】
前記挿入阻止部材（２６）の先端を、梁材（３１）によって連結した、ことを特徴とする請求項９又は１０に記載の電力量計。
【請求項１２】
前記シャッター部（２５）には、シャッター部をスライドさせた後の状態で前記第一端子カバー（１４）を取り付けるための小孔（２９）が形成されている、ことを特徴とする請求項８に記載の電力量計。
【発明の詳細な説明】
【技術分野】
【０００１】
本発明は、例えば一般家庭における電気使用量を計量する電力量計に関し、特に電力量計の取替え時等における、電源側電線および負荷側電線の接続順番や取り外し順番の間違えを少なくするための電力量計に関するものである。
【背景技術】
【０００２】
電力量計は、電力会社からの電力が導かれる電源側電線と、需要家側に電力を導く負荷側電線との間に介在し、需要家の使用電気量を計量している。図１５に従来の単相三線式の電力量計を説明するための図を示した。図に示すように、電力量計１は、メータ本体１０と、電力会社からの電力が導かれる電源側電線１１と、需要家側に電力を導く負荷側電線１２と、各電線１１，１２を個別に着脱可能に接続する複数の端子部１３とを備えている。なお電源側電線１１および負荷側電線１２には、それぞれ接地線１１ａおよび１２ａを含んでいる。
一般的に電源側電線１１および負荷側電線１２は、それぞれ一線ずつが端子部１３を構成する端子締付ネジ１３０によって凹部１８内でネジ止めされており、この端子部１３はその保護のために第一端子カバー１４によって覆われている。さらに第一端子カバー１４は、ネジ１５によって電力量計１に固定されている。なお、接地線１１ａおよび１２ａは、接地線用の端子部１３ａに接続されている。
【０００３】
電力量計の端子部のカバーは、作業者の安全の確保や、取替え時の容易性を目的として下記特許文献にあるように従来から幾つか提案されている。
【特許文献１】特開２０００−３１４７４９号公報
【特許文献２】特開平７−１９８７５３号公報
【発明の開示】
【発明が解決しようとする課題】
【０００４】
従来の電力量計１ではその取替え時などに、電源側電線１１および負荷側電線１２の接続順番や取り外し順番を間違えることがあり、その場合、需要家に大きな損失を与える虞があった。例えば接地線１１ａまたは１２ａを一番最初に外したり、あるいは最後に接続したりすると、需要家宅内に過電圧（２００Ｖ）が入り、電化製品を破壊する虞があった。これは従来の電力量計１では、第一端子カバー１４を外すと、各電線１１，１２および端子部１３，１３ａの形状上の違いがないために、接続順番や取り外し順番を間違えやすかったためである。
【０００５】
本発明はかかる問題点を解決するために創案されたものである。すなわち本発明の目的は、電力量計の取替え時等において、電源側電線および負荷側電線の接続順番や取り外し順番を間違える虞の少ない電力量計を提供することにある。
【課題を解決するための手段】
【０００６】
本発明によれば、接地線（１１ａ，１２ａ）を含む複数の電源側電線（１１）および負荷側電線（１２）と、 該各電線を個別に着脱可能に接続する複数の端子部（１３）と、該端子部の全体を覆う第一端子カバー（１４）と、を有する電力量計（１）において、前記端子部と前記第一端子カバーとの間に、前記接地線用の端子部（１３ａ）を覆う第二端子カバー（１６）を備え、該第二端子カバーが、前記接地線用の端子部（１３ａ）に磁気的に吸着するマグネット（１６１）と、該マグネット上に設けられた絶縁部材（１６２）と、を備えている、ことを特徴とする電力量計が提供される。
【０００７】
ここで、前記絶縁部材（１６２）が第二端子カバー（１６）取り外し用の突起部（１６２ａ）を備え、前記第二端子カバーが前記接地線用の端子部（１３ａ）を個別に覆うようにすることもできる。
【０００８】
また、一つの第二端子カバー（１６）が前記接地線用の端子部（１３ａ）のすべてを覆い、該第二端子カバーが、該接地線用の端子部以外の端子部（１３）を構成する端子締付ネジ（１３０）のネジ止めによって取り付けられていてもよい。
【０００９】
また本発明は、接地線（１１ａ，１２ａ）を含む複数の電源側電線（１１）および負荷側電線（１２）と、 該各電線を個別に着脱可能に接続する複数の端子部（１３）と、該端子部の全体を覆う第一端子カバー（１４）と、を有する電力量計（１）において、前記端子部と前記第一端子カバーとの間に、前記接地線用の端子部（１３ａ）を覆う第二端子カバー（１６）を備え、該接地線用の端子部（１３ａ）が第一接地端子（１３１）および第二接地端子（１３２）を有し、該第二端子カバー（１６）が端子締付ネジ（１３０）に取り付けられ、該端子締付ネジを前記第一接地端子にネジ止めしたときに、前記第二端子カバーが前記第二接地端子を覆うように構成した、ことを特徴とする電力量計を提供する。
【００１０】
また本発明は、接地線（１１ａ，１２ａ）を含む複数の電源側電線（１１）および負荷側電線（１２）と、 該各電線を個別に着脱可能に接続する複数の端子部（１３）と、該端子部の全体を覆う第一端子カバー（１４）と、を有する電力量計（１）において、前記端子部と前記第一端子カバーとの間に、前記接地線用の端子部（１３ａ）を覆う第二端子カバー（１６）を備え、電力量計の底部に前記第二端子カバー（１６）用の差込穴（５１）を設け、前記第二端子カバーは突起部（１６４）を有する薄板状の形状を有し、前記突起部は前記差込穴に挿入可能であり、前記突起部を前記差込穴に挿入したときに、前記突起部が前記接地線用の端子部（１３ａ）を覆うように構成した、ことを特徴とする電力量計を提供する。
【００１１】
また本発明は、接地線（１１ａ，１２ａ）を含む複数の電源側電線（１１）および負荷側電線（１２）と、 該各電線を個別に着脱可能に接続する複数の端子部（１３）と、該端子部の全体を覆う第一端子カバー（１４）と、を有する電力量計（１）において、前記端子部と前記第一端子カバーとの間に、前記接地線用の端子部（１３ａ）を覆う第二端子カバー（１６）を備え、該第二端子カバー（１６）は、スライド前には接地線用の端子部（１３ａ）を覆い接地線用の端子部以外の端子部（１３）を開放する一方、スライド後には接地線用の端子部を開放し接地線用の端子部以外の端子部を覆う格子状に形成された水平方向にスライド移動可能なスライド式シャッター（２２）である、ことを特徴とする電力量計を提供する。
【００１２】
ここで、前記スライド式シャッター（２２）は、電力量計の両側の金属面に磁着する対をなす台座（２３）と、対をなす該台座によってその両端を支えられたガイドレール（２４）と、該ガイドレールに沿ってスライド移動可能な格子状のシャッター部（２５）と、から構成されるものとする。
【００１３】
このとき、前記電力量計（１）の底部には、下方から接地線（１１ａ，１２ａ）を接地線用の端子部（１３ａ）に導き入れるための第一開孔（１９ａ）および下方から電源側電線（１１）又は負荷側電線（１２）を端子部（１３）に導き入れるための第二開孔（１９）が形成されており、前記シャッター部（２５）には、スライド前には前記第一開孔を開放するとともに前記第二開孔の全部又は一部を覆って第二開孔内への電源側電線又は負荷側電線の挿入を阻害する一方、スライド後には前記第二開孔を開放して第二開孔への電源側電線又は負荷側電線の挿入を許容する挿入阻止部材（２６）が取り付けられていることが好ましい。
【００１４】
ここで、前記挿入阻止部材（２６）は、スライド前には前記第二開孔（１９）の一部に被さるように伸長する棒状体、または、スライド前には前記第二開孔（１９）に被さるように伸長し、かつ、スライド後に接地線（１１ａ，１２ａ）を側方から嵌入するための切込部（３３）が形成された短冊状の平板であって、前記シャッター部（２５）をスライドさせて電源側電線（１１）又は負荷側電線（１２）を端子部（１３）に接続した後には、電源側電線又は負荷側電線と当接することでシャッター部の逆方向へのスライドを阻止するものとする。
【００１５】
このとき、前記挿入阻止部材（２６）の先端を、梁材（３１）によって連結する、ことも好ましい。
【００１６】
さらに、前記シャッター部（２５）には、シャッター部をスライドさせた後の状態で前記第一端子カバー（１４）を取り付けるための小孔（２９）が形成されていることも好ましい。
【発明の効果】
【００１７】
本発明の電力量計は、前記端子部（１３）と第一端子カバー（１４）との間に、接地線用の端子部（１３ａ）を覆う第二端子カバー（１６）を備えているので、電源側電線（１１）および負荷側電線（１２）の取り外し時、作業者は第二端子カバー（１６）の存在によって接地線用の端子部がどこにあるのかを容易に認識することができ、接地線（１１ａまたは１２ａ）を一番最初に外してしまう虞が減少する。また、作業初期段階では、接地線用の端子部が第二端子カバーによって覆われているため、作業時にドライバー等が当たって端子部間を短絡してしまうこと防ぐことができる。
【００１８】
ここで、前記第二端子カバー（１６）が、前記接地線用の端子部に磁気的に吸着するマグネット（１６１）と、マグネット上に設けられた絶縁部材（１６２）と、を備えた形態とすれば、第二端子カバーの取り付け取り外しを容易化でき作業性も向上する。
【００１９】
さらに、端子部（１３，１３ａ）に被さるスライド式シャッター（２２）を用いることで、接地線用の端子部（１３ａ）とその他の端子部（１３）との被覆を切り替え可能とし、より簡易に電源側電線（１１）および負荷側電線（１２）の接続順番や取り外し順番の間違えを防止することができる。
【００２０】
またスライドさせて電源側電線（１１）又は負荷側電線（１２）を端子部（１３）に接続した後にシャッター部の逆方向へのスライドを制限することで、電源側電線又は負荷側電線を取り外した後でなければ接地線（１１ａ，１２ａ）の取り外しを不可能とすることができ、作業の安全をより一層図ることができる。
【発明を実施するための最良の形態】
【００２１】
図１は、電力量計の実施の形態を説明するための図である。
図１に示すように、電力量計１は、図１５で示した従来の電力量計と同様に、メータ本体１０と、電力会社からの電力が導かれる電源側電線１１と、需要家側に電力を導くための負荷側電線１２と、各電線１１，１２を個別に着脱可能に接続する複数の端子部１３とを備えている。端子部１３は凹部１８内に設けられた、第一接地端子１３１および第二接地端子１３２から構成されている。電源側電線１１および負荷側電線１２はそれぞれ接地線１１ａおよび１２ａを備えている。なお電源側電線１１は第一接地端子１３１に、負荷側電線１２は第二接地端子１３２に端子締付ネジ１３０によってそれぞれ一線ずつネジ止めされ接続されている。
またこれらの端子部１３を保護することを目的として、端子部全体は第一端子カバー１４によって覆われている。この第一端子カバー１４は、ネジ１５によって電力量計１に固定されている。
【００２２】
ここでこの電力計１は端子部１３と第一端子カバー１４との間に、破線により透視して示した接地線用の端子部１３ａを覆う第二端子カバー１６を備えていることに特徴を有する。この電力量計では、第二端子カバー１６はネジ１７によりネジ止めされ、端子部１３ａの全体を覆っている。この第二端子カバー１６はプラスチックのような絶縁部材から構成されている。
【００２３】
電力量計の取替え時等で電源側電線１１および負荷側電線１２を取り外そうとする場合、作業者はまず、第一端子カバー１４を取り外すことになる。このとき、第二端子カバー１６が接地線用の端子部１３ａを覆っているので、作業者は接地線用の端子部１３ａがどこにあるのかを容易に認識することができ、接地線１１ａまたは１２ａを一番最初に外す虞はほとんどない。また、電源側電線１１および負荷側電線１２の取り外し作業初期段階では、接地線用の端子部１３ａが第二端子カバー１６によって覆われているため、作業時にドライバー等がこれに当たったとしても端子部間を短絡してしまうことも防ぐことができる。
【実施例１】
【００２４】
図２は、本発明の電力量計の第１の実施例を説明するための図であり、（ａ）は、第二端子カバー１６を取り付けた後の状態を示す図、（ｂ）は第二端子カバー１６のＡ−Ａ断面図である。なお図２では、メータ本体１０および第一端子カバー１４は示していないが、本実施例でも上記電力量計と同様にこれら部品が用いられる。
【００２５】
本実施例の電力量計は、上記電力量計とほぼ同様の構成を有するものであるが、破線により透視して示した接地線用の端子部１３ａを覆う第二端子カバー１６が、図２（ｂ）に示すように、端子部１３ａに磁気的に吸着するマグネット１６１と、マグネット１６１上に設けられた絶縁部材１６２とを備えている点が異なっている。本実施例の第二端子カバー１６は、図２（ａ）に示すようにマグネット１６１が端子部１３ａに磁気的に吸着して固定され、端子部１３ａを個別に覆っている。マグネット１６１は、凹部１８内に挿入できる大きさを有しており、位置決めを容易にすることができるようになっている。絶縁部材１６２の材質はとくに制限されないが、例えばプラスチックが挙げられる。また絶縁部材１６２には、マグネット１６１を端子部１３ａに固定したときに手前方向に伸びる、第二端子カバー取り外し用の突起部１６２ａが形成されている。なお第二端子カバー１６の突起部１６２ａが第一端子カバー１４の取り付けを阻害しないよう、突起部１６２ａに対応する位置の第一端子カバーには開口又は凹みを形成しておくものとする（図示せず）。
【００２６】
本実施例の第二端子カバー１６は、上記電力量計が備える効果に加え、マグネット１６１が端子部１３ａに磁気的に吸着し、上記電力量計のようにネジ１７によってネジ止めされていないので、その取り付け、取り外しが容易である。例えば、絶縁部材１６２の突起部を下方に押さえてやれば、テコの原理によって第二端子カバー１６を簡単に取り外すことができる。
【実施例２】
【００２７】
図３は、本発明の電力量計の第２の実施例を説明するための図であり、（ａ）は、第二端子カバーを取り付けた後の状態を示す図、（ｂ）は第二端子カバーの正面図であり、（ｃ）は第二端子カバーのＡ−Ａ断面図である。また図４（ａ）は、第二端子カバーを取り付ける前の状態を示す図であり、（ｂ）は端子締付ネジを第二端子カバーの孔部に挿入した状態の、図３（ｂ）におけるＢ−Ｂ断面図である。なお図３および図４では、メータ本体１０および第一端子カバー１４は示していないが、本実施例でも上記電力量計と同様にこれら部品が用いられる。
【００２８】
図３（ａ）に示すように一つの第二端子カバー１６が、破線により透視して示した接地線用の端子部１３ａのすべてを覆っている。また、接地線用の端子部１３ａ以外の端子部１３は、第二端子カバー１６を介した端子締付ネジ１３０によってネジ止めされている。図３（ｂ）に示すように、第二端子カバー１６は、端子部１３全体にわたる横方向および縦方向のサイズを有しており、したがって第二端子カバー１６一枚によって接地線用の端子部１３ａのすべてを覆うことができる。第二端子カバー１６は、図３（ｃ）に示すように端子部１３ａに磁気的に吸着するマグネット１６１と、その上の絶縁部材１６２とを備えている。本実施例の第二端子カバー１６は、マグネット１６１が端子部１３ａに磁気的に吸着することにより固定される。第二端子カバー１６は孔部１６３を有し、ここを介して端子締付ネジ１３０がネジ止めされ、端子部１３を構成する。
なお第二端子カバー１６を取り付ける前の状態では、図４（ａ）に示すように接地線用の端子部１３ａ以外の端子部１３には、端子締付ネジ１３０が存在しない。端子締付ネジ１３０は、第二端子カバー１６のマグネット１６１が端子部１３ａに取り付けられた後に、図４（ｂ）に示すように第二端子カバー１６の孔部１６３に挿入されてネジ止めされる。ここで第二端子カバー１６と端子締付ネジ１３０とを予め連結し、一体としてその着脱をするように使用することも可能である。
【００２９】
本実施例の電力量計によれば、接地線用の端子部１３ａが第二端子カバー１６によって覆われており、かつ、第二端子カバー１６は孔部１６３を介して端子締付ネジ１３０によってネジ止めされているので、電源側電線１１および負荷側電線１２を取り外す場合、作業者は接地線１１ａおよび／または１２ａを一番最初に外してしまうことがない。また、電源側電線１１および負荷側電線１２を取り付ける場合には、図４（ａ）に示すように電力量計本体には接地線用の端子部１３ａの端子締付ネジ１３０しかないので、必ず作業者は接地線１１ａおよび／または１２ａを一番最初に取り付け、その後、第二端子カバー１６の孔部１６３を介して、その他の端子部１３の端子締付ネジ１３０をネジ止めすると同時に電源側電線１１および負荷側電線１２を取り付けることになる。さらに端子部１３の端子締付ネジ１３０のネジ止め時は、第二端子カバー１６がマグネット１６１によって固定され落下することがないので、作業性も良好となる。
【実施例３】
【００３０】
図５は、本発明の電力量計の第３の実施例を説明するための図であり、（ａ）は第二端子カバーを取り付けた後の状態を示す図、（ｂ）は第二端子カバーのＡ−Ａ断面図である。なお図５では、メータ本体１０および第一端子カバー１４は示していないが、本実施例にも上記電力量計と同様にこれら部品が用いられる。
【００３１】
本実施例の電力量計は、図５（ｂ）に示したように端子締付ネジ１３０が第二端子カバー１６に取り付けられている。例えば第二端子カバー１６は、端子締付ネジ１３０が挿入される開口部を有し（図示せず）、開口部の内側がネジ切りされている。そして端子締付ネジ１３０を第一接地端子１３１にネジ止めしたときに、図５（ａ）に示すように、第二端子カバー１６が第二接地端子１３２を覆うようになっている（第二接地端子１３２は透視図であり破線で表されている）。第二端子カバー１６はプラスチックのような絶縁部材から構成されている。なお、図５（ａ)では第二端子カバー１６が凹部１８の外側で固定されている形態を示しているが、凹部１８内に挿入されてそこで固定されていてもよい。
【００３２】
本実施例の電力量計によれば、第二接地端子１３２が第二端子カバー１６により覆われているため、電源側電線１１および負荷側電線１２の取り外し時、作業者は第二端子カバー１６の存在によって接地線用の端子部１３ａがどこにあるのかを容易に認識することができ、接地線１１ａまたは１２ａを一番最初に外す虞がない。また仮に誤って端子部１３ａの第一接地端子１３１の端子締付ネジ１３０を外してしまった場合でも、第二端子カバー１６の下の第二接地端子１３２に接地線１１ａまたは１２ａがネジ止めされているため安全である。さらに、第二端子カバー１６が端子締付ネジ１３０に取り付けられているため、電源側電線１１および負荷側電線１２の取り付け時に第二端子カバー１６の付け忘れが起こらない。なお上記説明では下方の端子を第一接地端子１３１としているが、これとは逆に上方の端子を第一接地端子１３１としてもよい。
【実施例４】
【００３３】
図６は、本発明の電力量計の第４の実施例を説明するための図であり、（ａ）は第二端子カバーを取り付けた後の状態を示す正面図、（ｂ）は電力量計の底面図、（ｃ）は第二端子カバーの平面図であり、（ｄ）は第二端子カバーのＡ−Ａ断面図である。図７（ａ）は、電源側電線および負荷側電線の取り付け時に好適に用いられる端子カバーの平面図であり、（ｂ）は第二端子カバーのＡ−Ａ断面図であり、（ｃ）は該端子カバーを取り付けた後の状態を示す図である。なお図６では、メータ本体１０および第一端子カバー１４は示していないが、本実施例でも上記電力量計と同様にこれら部品が用いられる。
【００３４】
本実施例の電力量計は、図６（ｂ）に示したように電力量計の底部に第二端子カバー用の差込穴５１を設け、差込穴５１から第二端子カバー１６を差し込んだときに、図６（ａ）に示すように第二端子カバー１６が接地線用の端子部１３ａを覆うようになっている。第二端子カバー１６は、プラスチックのような絶縁部材からなり、図６（ｃ）および（ｄ）に示すように突起部１６４を有する薄板状の形状を有し、突起部１６４は差込穴５１に挿入可能であるとともに、接地線用の端子部１３ａの全体を覆う程度に、伸長している。また第二端子カバー１６は、図６（ｃ）および（ｄ）に示すように電力量計の横方向に伸びる把持部１６５を有し、第二端子カバー１６の取り付け、取り外しを容易にしている。
【００３５】
本実施例の電力量計によれば、破線により透視して示した接地線用の端子部１３ａが第二端子カバー１６により覆われるため、電源側電線１１および負荷側電線１２の取り外し時、作業者は第二端子カバー１６の存在によって接地線用の端子部１３ａがどこにあるのかを容易に認識することができ、接地線１１ａまたは１２ａを一番最初に外す虞がない。
【００３６】
なお、電源側電線１１および負荷側電線１２の取り付け時は、図７に示す別の端子カバー６１を用いるのが好ましい。図６に示す第二端子カバー１６が接地線用の端子部１３ａを覆うのに対し、端子カバー６１はその他の端子部１３を覆うことができる。端子カバー６１は、図６（ｂ）に示す差込穴５２から差し込んで使用し、差し込んだ後は図７（ｃ）に示すように端子部１３を覆うようになっている。端子カバー６１は、図７（ａ）および（ｂ）に示すように、プラスチックのような絶縁部材からなり、突起部６１１を有する薄板状の形状を有し、差込穴５２に挿入可能であるとともに、端子部１３の全体を覆う程度に、伸長している。また、電力量計の横方向に伸びる把持部６１２を有する。
【００３７】
このような端子カバー６１を用いることにより、電源側電線１１および負荷側電線１２の取り付け時は、接地線用の端子部１３ａのみが露出しているため、作業者は接地線１１ａまたは１２ａを必ず一番最初に取り付けることになる。
【実施例５】
【００３８】
図８は、本発明の電力量計の第え５の実施例を説明するための斜視図であり、図９（ａ）はメータ本体に取り付けた第二端子カバーのスライド前の状態を示す正面図、（ｂ）は取り付けた第二端子カバーをスライドさせた状態を示す正面図である。なお図では、メータ本体は示していないが、本実施例でも上記電力量計と同様にこれら部品が用いられる。
【００３９】
本実施例の電力量計は、実施例５のようにメータ本体に差込穴などの改変を加えることなく、既存の電力量計にそのまま適用することができる第二端子カバーを用いたことを特徴とするものである。
【００４０】
本実施例の電力量計は第二端子カバー以外の部分は従来の単相三線式の電力量計（図１５参照）と同様のものであり、その端子部１３，１３ａは左から順に電源側電線１１、接地線１１ａ、電源側電線１１をネジ止め接続する組と、負荷側電線１２、接地線１２ａ、負荷側電線１２をネジ止め接続する組とから構成され、各組３つの端子部（１３，１３ａ，１３）は等間隔で配置されている。
【００４１】
本実施例の第二端子カバー１６は、図８に示すようなスライド式シャッター２２であり、電力量計の両側の金属面に磁着する水平方向で対をなす台座２３と、対をなす台座２３によってその両端部を支えられ電力量計の前面で水平方向に伸長する上下一対の平行なガイドレール２４と、ガイドレール２４間でこれに沿って水平方向にスライド移動可能な格子状のシャッター部２５とから構成されている。対をなす台座２３とガイドレール２４とは直角をなして連結接合されており、全体として略コの字型をなしている。第二端子カバー１６の取り付けは、端子部１３の正面から略コの字型の開口を挿し込み、台座２３をメータ本体１０の両側の金属面に磁力により吸着することにより行なわれる。
【００４２】
複数（４箇所）の窓部２１が形成されたシャッター部２５は、その上下の辺を上下一対の平行なガイドレール２４に摺動自在に嵌め込まれており、隣接する各端子部の距離だけ水平方向に左右にスライド移動することができるようになっている。
【００４３】
図９に示したように、スライド式シャッター２２である第二端子カバー１６は、スライド前には接地線用の端子部以外の端子部１３を覆い接地線用の端子部１３ａを開放する一方（図９（ａ））、スライド後には接地線用の端子部以外の端子部１３を開放し接地線用の端子部１３ａを覆うようになっている（図９（ｂ））。すなわちスライド前には接地線用の端子部１３ａにのみ接地線１１ａ，１２ａを接続することができ、接地線用の端子部以外の端子部１３にはシャッター部２５をスライドさせてはじめて電源側電線１１および負荷側電線１２を接続可能となる。
【００４４】
電源側電線１１、負荷側電線１２、接地線１１ａ，１２ａを各端子部にネジ止め接続した後には、端子部全体は第二端子カバー１６を挟み込んだ状態で第一端子カバー１４によって覆われ、第一端子カバー１４はネジ１５によって電力量計に固定される。
この時、第二端子カバー１６には、第一端子カバー１４に通したネジ１５を、第二端子カバー１６がスライドした状態で貫通させて電力量計のネジ穴２７に螺合させるための小孔２９が形成されている。そのため、第一端子カバー１４は、第二端子カバー１６がスライドした状態でのみ電力量計に固定される。なお第二端子カバー１６がスライドしていない状態では、ネジ穴２７は第二端子カバー１６によって塞がれるため、第一端子カバー１４を電力量計１に固定することができない。
このように第二端子カバー１６をスライドした後にのみ第一端子カバー１４の固定を可能とすることで、第一端子カバーを取り外した際には必ず電源側電線１１および負荷側電線１２用の端子部１３が初めに露出することとなるため、初めに接地線用の端子部１３ａから接地線１１ａ，１２ａを外してしまう虞がほとんどなくなる。
【実施例６】
【００４５】
図１０は、本発明の電力量計の第６の実施例を説明するための斜視図であり、図１１（ａ）はメータ本体に取り付けた第二端子カバーのスライド前の状態を示す斜視図、（ｂ）は取り付けた第二端子カバーをスライドさせた状態を示す斜視図、（ｃ）は第二端子カバーをスライドさせた状態で各電線を接続した状態を示した斜視図である。なお図では、メータ本体は示していないが、本実施例でも上記電力量計と同様にこれら部品が用いられる。
【００４６】
本実施例の電力量計は、実施例５のようにメータ本体に差込穴などの改変を加えることなく、既存の電力量計にそのまま適用することができ、さらに、電源側電線および負荷側電線を取り外した後でなければ接地線の取り外しができないようにしたことを特徴とするものである。
【００４７】
本実施例の電力量計１は第二端子カバー以外の部分は従来の単相三線式の電力量計と同様のものである。ここで図１０および図１１に示したように電力量計１の底部には、下方から接地線１１ａ，１２ａを接地線用の端子部１３ａに導き入れるための円形の第一開孔１９ａおよび下方から電源側電線１１又は負荷側電線１２を端子部１３に導き入れるための円形の第二開孔１９が形成されている。
【００４８】
本実施例の第二端子カバー１６のシャッター部２５には、実施例５のスライド式シャッター２２のシャッター部に、シャッター部２５の正面からガイドレール２４を回り込んで裏面側に伸長する細長い棒状体である挿入阻止部材２６が４本取り付けられている。挿入阻止部材２６は、スライド前には第二開孔１９の一部に径方向に被さるように伸長して第二開孔内への電源側電線１１および負荷側電線１２の挿入を阻害する一方、スライド後には第二開孔１９を開放して第二開孔内への電線の挿入を可能とする。なお接地線１１ａ，１２ａが挿入される第一開孔１９ａは挿入阻止部材２６のスライド前には開放される一方、スライド後には挿入阻止部材２６がその上面に来ることとなるが、接地線１１ａ，１２ａは既に第一開孔１９ａから接地線用の端子部１３ａに接続されているため、接地線の挿入が挿入阻止部材２６によって阻害されるといる問題はない。
またシャッター部２５のスライドに伴ってスライドする挿入阻止部材２６は、シャッター部２５をスライドさせて電源側電線１１又は負荷側電線１２を端子部１３に接続した後には、電源側電線又は負荷側電線と当接することでシャッター部の逆方向へのスライドを阻止する。すなわち、電源側電線１１又は負荷側電線１２が接続された状態では、シャッター部２５は逆方向へスライドすることができず、この状態では接地線用の端子部１３ａはシャッター部２５によって覆われているため、電源側電線１１又は負荷側電線１２の取り外し前に接地線１１ａ，１２ａの取り外しが行なわれる虞はない。
【００４９】
なお図１２に示したように、棒状の各挿入阻止部材２６の先端を梁材３１を用いて連結し、挿入阻止部材２６と梁材３１とで囲まれた空間を通して第一開孔１９ａおよび第二開孔１９に各電線を挿入するようにしてやれば、各電線を取り外す前には第二カバー１６をメータ本体１０から取り外すことができないため、先に接地線用の端子部１３ａから接地線１１ａ，１２ａを外してしまう虞をより一層少なくすことができる。
【００５０】
図１３に本実施例で用いられる挿入阻止部材の変形例を示した。
この挿入阻止部材２６は、スライド式シャッター２２のシャッター部に、シャッター部２５の正面からガイドレール２４を回り込んで裏面側に伸長し、かつ、スライド後に接地線１１ａ，１２ａを側方から嵌入するための切込部３３が形成された短冊状の平板から構成されている。
【００５１】
この挿入阻止部材２６によれば、図１４に示したように、スライド前には第二開孔１９は塞がれており電源側電線１１又は負荷側電線１２を端子部１３に接続することが不可能であるとともに、第一開孔１９ａは開放されているため接地線１１ａ，１２ａをその端子部１３ａに接続することができる。一方スライド時には、端子部１３ａに接続した接地線１１ａ，１２ａが、挿入阻止部材２６の切込部３３に側方から嵌入して、第一開孔１９ａがカバーされる一方、第二開孔１９が開放される。
【００５２】
この変形例の挿入阻止部材では、スライド前に第二開孔１９内への電源側電線１１又は負荷側電線１２の挿入が不可能となるため、ほぼ完全に各電線の接続順番や取り外し順番の間違をなくすことができる。
【００５３】
以上説明したスライド式シャッター２２である第二端子カバー１６を用いた本実施例の電力量計によれば、メータ本体の改変を要することなく簡易に第二端子カバーを端子部に取り付けてやることができる。また、電源側電線１１および負荷側電線１２の取り外しに際しては、第一端子カバー１４を外すと電源側電線１１および負荷側電線１２を接続するための端子部１３のみが露出する一方、接地線用の端子部１３ａは第二端子カバー１６によって覆われているため、接地線１１ａまたは１２ａを一番最初に外す虞がない。そして電源側電線１１や負荷側電線１２を端子部１３から外した後には、第二端子カバー１６をスライド移動させることで、最後に接地線１１ａ，１２ａを簡単に外してやることができる。接地線１１ａ，１２ａの取り付けに際しても、当初２箇所の接地線用の端子部１３ａのみが開放されているため、接地線用の端子部１３ａを明確に認識することができる。接地線を端子部１３ａに取り付けた後には、第二端子カバー１６をスライド移動させ、電源側電線１１および負荷側電線１２を接続するための端子部１３を開放することで容易に電源側電線や負荷側電線の取り付けを行なうことができる。
【産業上の利用可能性】
【００５４】
以上説明した本発明の電力量計は、その電線の接続順番や取り外し順番の間違えを防止するための端子カバーを有することをその骨子とするが、かかる端子カバーは電力量計に限られず、電線の接続順番等が重要な電子機器全般にも応用することができることは勿論である。
【図面の簡単な説明】
【００５５】
【図１】電力量計の一実施形態を説明するための図である。
【図２】本発明の電力量計の実施例１を説明するための図である。
【図３】本発明の電力量計の実施例２を説明するための図である。
【図４】（ａ）は、第二端子カバーを取り付ける前の状態を示す図であり、（ｂ）は端子締付ネジを第二端子カバーの孔部に挿入した状態の、図３（ｂ）におけるＢ−Ｂ断面図である。
【図５】本発明の電力量計の実施例３の形態を説明するための図である。
【図６】本発明の電力量計の実施例４を説明するための図である。
【図７】（ａ）は電源側電線および負荷側電線の取り付け時に好適に用いられる端子カバーの平面図であり、（ｂ）は第二端子カバーのＡ−Ａ断面図であり、（ｃ）は該端子カバーを取り付けた後の状態を示す図である。
【図８】本発明の電力量計の実施例５を説明するための斜視図である。
【図９】（ａ）は第二端子カバーを取り付けた後のスライド前の状態を示す正面図、（ｂ）は取り付けた第二端子カバーをスライドさせた状態を示す正面図である。
【図１０】本発明の電力量計の実施例６を説明するための斜視図である。
【図１１】（ａ）は第二端子カバーを取り付けた後のスライド前の状態を示す斜視図、（ｂ）は取り付けた第二端子カバーをスライドさせた状態を示す斜視図、（ｃ）は第二端子カバーをスライドさせた状態で各電線を接続した状態を示した斜視図である。
【図１２】挿入阻止部材の先端を、梁材を用いて連結した状態を示した斜視図である。
【図１３】実施例６で用いられる挿入阻止部材の変形例を示した斜視図である。
【図１４】（ａ）は第二端子カバーを取り付けた後のスライド前の状態を示す斜視図、（ｂ）は取り付けた第二端子カバーをスライドさせた状態を示す斜視図である。
【図１５】従来の単相三線式の電力量計を説明するための図である。
【符号の説明】
【００５６】
１ 電力量計
１０ メータ本体
１１ 電源側電線
１２ 負荷側電線
１１ａ，１２ａ 接地線
１３ 端子部
１３ａ 接地線用の端子部
１４ 第一端子カバー
１５ ネジ
１６ 第二端子カバー
１７ ネジ
１９ａ 第一開孔
１９ 第二開孔
２１ 窓部
２２ スライドシャッター
２３ 台座
２４ ガイドレール
２５ シャッター部
２６ 挿入阻止部材
２７ ネジ穴
２９ 小孔
３１ 梁材
３３ 切込部
５１ 差込穴
１３０ 端子締め付けネジ
１３１ 第一接地端子
１３２ 第二接地端子
１６１ マグネット
１６２ 絶縁部材
１６４ 突起部
【図１】
0004738162.tif 000002
【図３】
0004738162.tif 000003
【図５】
0004738162.tif 000004
【図６】
0004738162.tif 000005
【図８】
0004738162.tif 000006
【図１１】
0004738162.tif 000007
【図１２】
0004738162.tif 000008
【図１５】
0004738162.tif 000009
【図２】
0004738162.tif 000010
【図４】
0004738162.tif 000011
【図７】
0004738162.tif 000012
【図９】
0004738162.tif 000013
【図１０】
0004738162.tif 000014
【図１３】
0004738162.tif 000015
【図１４】
0004738162.tif 000016